(57)【要約】【課題】  ロックネジを締め付けた時に内筒の変形を防止する。【解決手段】  リアプロジェクション装置のプロジェクションレンズ鏡筒１８を、第１〜第３群レンズ３０〜３２、前筒３３、後筒３４、固定筒３５、ロックネジ３６，３７から構成する。前筒３３の内側に後筒３４をヘリコイド結合するとともに、固定筒３５の内側に後筒３４をヘリコイド結合する。前筒３３及び固定筒３５にロックネジ３６，３７が螺合するネジ穴４２，４７を形成する。前筒３３及び固定筒３５にネジ穴４２，４７を略Ｕ字状に囲うスリット５１，５２を形成する。ロックネジ３６，３７をネジ穴４２，４７に螺合して締め付ける。ロックネジ３６，３７の先端が後筒３４の外周を押圧したときに、スリット５１，５２により囲まれた舌片部５４，５５が後筒３４から遠ざかる方向に弾性変形するので、後筒３４の変形を防止することができる。【選択図】        図４
2007025154.tif 000002
【特許請求の範囲】
【請求項１】
外筒と、一端部が前記外筒に嵌合して、前記外筒に対して相対的に進退自在に設けられた内筒とを有し、前記外筒及び前記内筒のいずれか一方を他方に対して相対的に進退させることで、前記一方に内蔵された光学系を光軸方向に移動させて位置調整可能なレンズ鏡筒において、
前記外筒に形成され、前記光軸と交差する方向に延び、前記外筒の外周及び内周に開口したネジ穴と、
前記ネジ穴に螺合され、前記位置調整後に前記内筒の外周を押圧して前記光学系を移動不能にするネジと、
前記外筒に形成され、前記ネジ穴を囲みつつその囲みの一部が開口した形状のスリットと、
前記スリットにより囲まれ、前記ネジ穴に螺合した前記ネジが前記内筒の外周を押圧したときに、前記内筒から遠ざかる方向に変形可能な舌片部とを有することを特徴とするレンズ鏡筒。
【請求項２】
前記スリットは、略Ｕ字状に形成されていることを特徴とする請求項１記載のレンズ鏡筒。
【請求項３】
前記外筒がプラスチック材料で形成されていることを特徴とする請求項１または２記載のレンズ鏡筒。
【発明の詳細な説明】
【技術分野】
【０００１】
本発明は、外筒及びこの外筒に対して進退自在に設けられた内筒を有し、外筒及び内筒のいずれか一方を他方に対して相対的に進退可能なレンズ鏡筒に関するものである。
【背景技術】
【０００２】
近年、リア方式のプロジェクタを大画面テレビジョンとして構成したリアプロジェクション装置が注目されている。リアプロジェクション装置は、筐体に組み込まれたスクリーン、スクリーンの背後に設置された平面鏡、平面鏡に向けて画像光を投写するプロジェクタユニット等から構成される。プロジェクタユニットは、スクリーン側から順に配したプロジェクションレンズ鏡筒、画像表示素子、照明ランプからなる。そして、照明ランプで画像表示素子を照明し、画像表示素子で表示する画像の光（画像光）をプロジェクションレンズ鏡筒に内蔵された投映光学系で拡大してスクリーンに背面側から投映する。ユーザは、投映される画像をスクリーンの前面側から鑑賞する。
【０００３】
リアプロジェクション装置の投映光学系としては、単焦点の投映光学系を用いるのが一般的である。そして、プロジェクションレンズ鏡筒は、スクリーンのサイズ等が異なる装置間で共通化できるように、投映光学系を構成する各レンズ群を光軸方向に僅かに移動させて、像面湾曲やピント等の調整が可能な構造となっている。このプロジェクションレンズ鏡筒は、例えば、特許文献１に記載されているように、プロジェクションユニット本体に固定された固定筒、投映光学系を構成する第１〜第３レンズ群をそれぞれ収納する後筒、中間筒、前筒から構成される。後筒及び中間筒（内筒）は固定筒の内側にヘリコイド結合され、前筒（外筒）は固定筒の外側にヘリコイド結合されており、後筒〜前筒をそれぞれ回転させることで、第１〜第３レンズ群を光軸方向に移動させて位置調整することができる。
【０００４】
固定筒には、光軸に対して直交する方向に貫通したネジ穴が少なくとも２箇所に形成されている。そして、各ネジ穴にロックネジを螺合して締め付けることで、ロックネジにより後筒、中間筒の外周がそれぞれ押圧されて両筒が回転不能となるため、第１及び第２レンズ群の位置を固定（仮止め）することができる。前筒にも同様にネジ穴が形成されており、そのネジ穴にロックネジを螺合して締め付けることで、前筒が回転不能になるため、第３レンズ群の位置を固定することができる。
【０００５】
また、前記特許文献１に記載されているように、固定筒や前筒にネジ穴を形成する代わりにロックネジを挿通可能なスリットを形成し、ロックネジを後筒、中間筒の外周、及び固定筒の外周に形成されたネジ穴に螺合させることで、後筒、中間筒、前筒を回転不能にする方法もよく知られている。
【０００６】
リアプロジェクション装置の組立時に作業員は、そのスクリーンサイズ等に応じてプロジェクションレンズ鏡筒の像面湾曲やピント等が調整されるように、後筒、中間筒、前筒を回転して第１〜第３レンズ群の位置調整を行う。位置調整が完了したら、作業員はロックネジを締め付けて第１〜第３レンズ群の位置を固定（仮止め）した後、接着剤等で完全に固定する。これらの固定作業が終了したら、作業員はプロジェクションレンズ鏡筒をリアプロジェクション装置に組み付ける。
【特許文献１】特開２０００−３５２６５号公報（第３頁、第１図参照）
【発明の開示】
【発明が解決しようとする課題】
【０００７】
ところで、上述したようなロックネジを用いた固定法では、ロックネジを締め付けた時に、内筒である後筒及び中間筒が変形してしまう。その結果、これらに内蔵された第２及び第３レンズ群の位置がずれてしまうので、光学性能が劣化するという問題があった。この問題を解決する方法として、第２及び第３レンズ群の位置がずれても光学性能が劣化しないように、プロジェクションレンズ鏡筒の光学設計を変更する方法もあるが、この場合には設計に制約が生じてしまう。
【０００８】
本発明は上記問題を解決するためのものであり、ロックネジを締め付けた時に内筒の変形を防止できるような構造のレンズ鏡筒を提供することを目的とする。
【課題を解決するための手段】
【０００９】
外筒と、一端部が前記外筒に嵌合して、前記外筒に対して相対的に進退自在に設けられた内筒とを有し、前記外筒及び前記内筒のいずれか一方を他方に対して相対的に進退させることで、前記一方に内蔵された光学系を光軸方向に移動させて位置調整可能なレンズ鏡筒において、前記外筒に形成され、前記光軸と交差する方向に延び、前記外筒の外周及び内周に開口したネジ穴と、前記ネジ穴に螺合され、前記位置調整後に前記内筒の外周を押圧して前記光学系を移動不能にするネジと、前記外筒に形成され、前記ネジ穴を囲みつつその囲みの一部が開口した形状のスリットと、前記スリットにより囲まれ、前記ネジ穴に螺合した前記ネジが前記内筒の外周を押圧したときに、前記内筒から遠ざかる方向に変形可能な舌片部とを有することを特徴とする。
【００１０】
また、前記スリットは、略Ｕ字状に形成されていることが好ましい。また、前記外筒がプラスチック材料で形成されていることが好ましい。
【発明の効果】
【００１１】
本発明のレンズ鏡筒は、外筒と、前記外筒に対して相対的に進退自在に設けられた内筒と、前記外筒に形成されたネジ穴と、前記ネジ穴に螺合され、前記内筒の外周を押圧して前記光学系を移動不能にするネジと、前記外筒に形成され、前記ネジ穴を囲みつつその囲みの一部が開口した形状のスリットと、前記スリットにより囲まれ、前記ネジ穴に螺合した前記ネジが前記内筒の外周を押圧したときに、前記内筒から遠ざかる方向に変形可能な舌片部とを有するので、前記ネジを締め付けたときに前記内筒が変形するのを防止することができる。その結果、前記内筒に内蔵された光学系の位置ずれを防止できるので、レンズ鏡筒の光学性能が劣化するのが防止される。また、レンズ鏡筒の光学性能のばらつきを抑えることができる。さらに、前記光学系の位置がずれても光学性能が劣化しないように、レンズ鏡筒の光学設計を変更する必要がなくなるので、設計の自由度を高めることができる。
【発明を実施するための最良の形態】
【００１２】
図１は、本発明のレンズ鏡筒を備えるリアプロジェクション装置１０の断面図である。リアプロジェクション装置１０は、その断面が略台形状をした筐体１１と、筐体１１の前面に設けられたスクリーン１２と、平面鏡１３と、プロジェクタユニット１４とを備えている。プロジェクタユニット１４は、支持板１５に固定された状態で筐体１１の下部に内蔵され、外部から入力された映像信号に基づいて画像光を投写する。平面鏡１３は、スクリーン１２の背後に位置する筐体１１の上部に内蔵され、プロジェクタユニット１４から投写された画像光をスクリーン１２に向けて反射する。
【００１３】
プロジェクタユニット１４は、ランプハウジング１６、ユニット本体１７、及びプロジェクションレンズ鏡筒１８からなる。ランプハウジング１６から放射された白色光は、ユニット本体１７に入射する。
【００１４】
図２に示すように、ユニット本体１７には、複数の全反射ミラー２０と、ダイクロイックミラー２１及び２２と、３枚の透過型の液晶パネル２３Ｒ，２３Ｇ，２３Ｂと、クロスダイクロイックプリズム２４とが設けられている。ダイクロイックミラー２１には、ランプハウジング１６から放射された白色光が入射する。
【００１５】
ダイクロイックミラー２１は、白色光に含まれる青色光（Ｂ光）を反射し、赤色光（Ｒ光）、緑色光（Ｇ光）を透過することにより白色光からＢ光を分離する。分離されたＢ光は液晶パネル２３Ｂに入射する。ダイクロイックミラー２１を透過したＲ光及びＧ光は、ダイクロイックミラー２２に入射する。ダイクロイックミラー２２はＲ光を透過し、Ｇ光を反射してＲ光とＧ光を分離する。Ｒ光とＧ光は、それぞれ液晶パネル２３Ｒと液晶パネル２３Ｇに入射する。
【００１６】
液晶パネル２３Ｒ，２３Ｇ，２３Ｂに入射したＲ光、Ｇ光、Ｂ光は、各液晶パネルを透過することにより画像情報が付与される。各液晶パネルを透過した光束は、クロスダイクロイックプリズム２４に入射する。クロスダイクロイックプリズム２４では、画像情報が付与された各色の光束が合成され、合成された光束がプロジェクションレンズ鏡筒１８に入射する。
【００１７】
プロジェクションレンズ鏡筒１８は、本発明を実施したものであり、入射した光束を拡大投写してスクリーン１２上に結像させる。この際に、リアプロジェクション装置１０には、アスペクトを同じにしてスクリーン１２のサイズ（対角線の長さ）が異なる複数の種類がある。各種の装置は、スクリーン１２のサイズに応じて画像表示素子の表示面からスクリーン１２までの投映距離が異なる。従って、プロジェクションレンズ鏡筒１８は、異なるスクリーンサイズのリアプロジェクション装置でも共通化できるように、スクリーン１２のサイズに応じて結像位置が変更可能な構造になっている。以下、図３及び図４を用いてプロジェクションレンズ鏡筒１８について具体的に説明する。
【００１８】
プロジェクションレンズ鏡筒１８は、スクリーン１２と画像表示素子の表示面との中心を結ぶ中心線１２ａ上に投映レンズの光軸が一致するように、ユニット本体１７に固定される。このプロジェクションレンズ鏡筒１８は、大別して、投映光学系を構成する第１〜第３レンズ群３０〜３２、前筒３３、後筒３４、固定筒３５、ロックネジ３６，３７から構成される。なお、第１レンズ群３０の一部には非球面レンズが用いられている。また、前筒３３、後筒３４、固定筒３５としては、任意のプラスチック材料（樹脂材料）で形成されたものを用いている。
【００１９】
前筒３３は、本発明の外筒に相当するものである。この前筒３３の内周には、スクリーン１２側から順に、第１レンズ群３０を保持するレンズ保持部３８ａ、第１雌ヘリコイドネジ４０が形成されている。また、前筒３３の外周には、光軸（中心線１２ａ）に対して直交する方向に延びたボス４１が一体形成されている。ボス４１には、ロックネジ３６が螺合するネジ穴４２が形成されている。このネジ穴４２は、ボス４１の前面及び、前筒３３の内周に開口している。
【００２０】
後筒３４は、本発明の内筒に相当するものであり、径の異なる３段の筒部３４ａ，３４ｂ，３４ｃが一体形成されている。各筒部３４ａ〜３４ｃは、スクリーン１２側の筒部３４ａの径が最も大きくなり、スクリーン１２から遠ざかるのに従い径が小さくなる。
【００２１】
筒部３４ａは、前筒３３に嵌合（挿入）される。この筒部３４ａの外周には、前筒３３の第１雌ヘリコイドネジ４０に螺合する第１雄ヘリコイドネジ４４が形成されている。また、詳しくは後述するが筒部３４ａの外周にはロックネジ３６が押圧される。
【００２２】
筒部３４ｂは、後述する固定筒３５の筒部３５ａに嵌合され、その外周にロックネジ３７が押圧される。また、この筒部３４ｂの内周には、第２レンズ群３１を保持するレンズ保持部３８ｂが形成されている。
【００２３】
筒部３４ｃは、後述する固定筒３５の筒部３５ｂに嵌合される。筒部３４ｃの内周のスクリーン１２側の端部には、第３レンズ群３２を保持するレンズ保持部３８ｃが形成されている。また、筒部３４ｃの外周のユニット本体１７側の端部には、第２雄ヘリコイドネジ４５が形成されている。
【００２４】
固定筒３５は、本発明の外筒に相当するものであり、図示しないボルト等でユニット本体１７に固定されている。この固定筒３５は、径の異なる２段の筒部３５ａ，３５ｂからなる。スクリーン１２側の筒部３５ａには、上述の後筒３４の筒部３４ｂが嵌合される。また、筒部３５ａの外周には、上述のボス４１と同形状のボス４６が一体形成されている。ボス４６には、ロックネジ３７が螺合するネジ穴４７が形成されている。ネジ穴４７は、ボス４６の前面及び、筒部３５ａの内周に開口している。
【００２５】
筒部３５ｂには、後筒３４の筒部３４ｃが嵌合される。また、この筒部３５ｂの内周には、筒部３４ｃの第２雄ヘリコイドネジ４５に螺合する第２雌ヘリコイドネジ４９が形成されている。
【００２６】
前筒３３の第１雌ヘリコイドネジ４０と、後筒３４の筒部３４ａの第１雄ヘリコイドネジ４４とが螺合することで、前筒３３の内側に後筒３４がヘリコイド結合される。従って、前筒３３を、後筒３４に対して光軸（中心線１２ａ）周りに回転させることで、両ヘリコイドネジ４０，４４の作用によって前筒３３が光軸方向に移動される。これにより、前筒３３の回転方向及び回転量に応じて、第１レンズ群３０を光軸方向に位置調整することができる。
【００２７】
また、後筒３４の筒部３４ｃの第２雄ヘリコイドネジ４５と、固定筒３５の筒部３５ｂの第２雌ヘリコイドネジ４９とが螺合することで、固定筒３５の内側に後筒３４がヘリコイド結合される。この場合も後筒３４を、固定筒３５に対して光軸（中心線１２ａ）周りに回転させることで、両ヘリコイドネジ４５，４９の作用によって後筒３４が光軸方向に移動される。同様にして、後筒３４の回転方向及び回転量に応じて、第２及び第３レンズ群３１，３２を光軸方向に位置調整することができる。
【００２８】
上述したように、リアプロジェクション装置１０を組み立てる際には、プロジェクションレンズ鏡筒１８をユニット本体１７に固定する前に、プロジェクションレンズ鏡筒１８単体で像面湾曲やピント等の調整を行う。作業員は、装置１０のスクリーン１２のサイズ等に応じて、前筒３３を後筒３４に対して回転させたり、後筒３４を固定筒３５に対して回転させたりすることで、第１レンズ群３１と、第２及び第３レンズ群３２，３３との位置調整を行い、像面湾曲やピント等を調整する。
【００２９】
像面湾曲やピント等が適切に調整されたら、ボス４１のネジ穴４２にロックネジ３６を螺合するとともに、ボス４６のネジ穴４７にロックネジ３７を螺合する。ロックネジ３６を締め付けることで、その先端が後筒３４の筒部３４ａの外周を押圧する。これにより、前筒３３が回転不能となる。また、ロックネジ３７を締め付けることで、同様にその先端が後筒３４の筒部３４ｂの外周を押圧するので、後筒３４が回転不能となる。その結果、第１〜第３レンズ群３０〜３１を、適切な位置調整がなされた位置で固定（仮止め）することができる。このような状態にすることで、接着剤等で完全に固定される前に第１〜第３レンズ群３０〜３１の位置がずれるおそれが無くなる。
【００３０】
この際に、本実施形態ではロックネジ３６，３７の押圧により第２及び第３レンズ群３１，３２を内蔵する後筒３４が変形するのを防止するため、前筒３３にネジ穴４２（ボス４１）を略Ｕ字状に囲むスリット５１を形成する。また、固定筒３５の筒部３５ａにも、同様にネジ穴４７（ボス４６）を略Ｕ字状に囲むスリット５２を形成する。これにより、前筒３３には、スリット５１により囲まれた略舌片状の舌片部５４が形成される。また、固定筒３５には、スリット５２に囲まれた舌片部５５が形成される。
【００３１】
スリット５１，５２及び舌片部５４、５５は、前筒３３や固定筒３５を形成するときに同時に形成可能である。上述したように、前筒３３〜固定筒３５は、任意のプラスチック材料から形成されるので、例えば既存の成型用の金型を改造することでスリット５１，５２及び舌片部５４、５５を容易に一体形成することできる。
【００３２】
舌片部５４は、プラスチック材料から形成され、ネジ穴４２を有するボス４１と一体になっている。そのため、図５に示すように、ネジ穴４２に螺合されたロックネジ３６の先端が後筒３４の筒部３４ａの外周を押圧すると、舌片部５４が後筒３４から遠ざかる方向に湾曲状に弾性変形する。従って、ロックネジ３６を締め付けても、舌片部５４が弾性変形することで後筒３４の変形を防止することができる。
【００３３】
なお、本実施形態のように、前筒３３と後筒３４とが同じプラスチック材料で形成されている場合には、前筒３３の（舌片部５４）の厚みをｄ１とし、後筒３４の筒部３４ａの厚みをｄ２としたときにｄ１＞＞ｄ２となっていると、ロックネジ３６を締め付けたときに、舌片部５４が弾性変形する代わりに、筒部３４ａが変形してしまうおそれがある。そのため、ｄ１≦ｄ２を満たすように、舌片部５４の厚みと筒部３４ａの厚みとを調整しておくことが好ましい。
【００３４】
また、ロックネジ３６を締め付け過ぎると、ネジ穴４２から突出するロックネジ３６の先端部の長さが長くなって、後筒３４が変形したり、舌片部５４が破損したりするおそれがある。そのため、ロックネジ３６の長さがネジ穴４２の長さよりも十分に長い場合には、ロックネジ３６の締め付け量を調整する。具体的には、ロックネジ３６の締め付ける際に、ロックネジ３６のヘッド３６ａとボス４１の前面との間が所定間隔ｔになった時に締め付けを停止する。この間隔ｔは、ロックネジ３６の長さL１、及びネジ穴４２の長さＬ２に応じて設定すればよい。また、ロックネジ３６の締め付け量を調整する代わりに、ネジ穴４２の長さＬ２に応じてロックネジ３６の長さＬ１を調整するようにしてもよい。
【００３５】
舌片部５５も同様に、ネジ穴４７に螺合されたロックネジ３７の先端が後筒３４の筒部３４ｂの外周を押圧したときに、後筒３４から遠ざかる方向に湾曲状に弾性変形する。従って、ロックネジ３７を締め付けても、舌片部５５が弾性変形することで後筒３４の筒部３４ｂの変形を防止することができる。
【００３６】
以上のように、本実施形態では、ネジ穴４２ロックネジ３６，３７を締め付けてその先端が後筒３４を押圧しても、舌片部５４，５５が弾性変形することで、後筒３４の変形を防止することができる。
【００３７】
次に、本実施形態の作用について説明する。リアプロジェクション装置１０を組み立てる際に、作業者はプロジェクションレンズ鏡筒１８単体で像面湾曲やピント等の調整を行う。作業者は、プロジェクションレンズ鏡筒１８の前筒３３を後筒３４に対して回転させたり、後筒３４を固定筒３５に対して回転させたりして、第１レンズ群３１と、第２及び第３レンズ群３２，３３との位置調整を行う。これにより、リアプロジェクション装置１０のスクリーン１２のサイズ等に応じて、プロジェクションレンズ鏡筒１８の像面湾曲やピント等が適切に調整される。
【００３８】
像面湾曲やピント等の調整が終了したら、作業者はボス４１，４６のネジ穴４２，４７にロックネジ３６，３７を螺合して締め付ける。ロックネジ３６，３７の先端がそれぞれ後筒３４の筒部３４ａ，筒部３４ｂの外周を押圧する。これにより、前筒３３及び後筒３４が回転不能となって、第１〜第３レンズ群３０〜３２が適切な位置調整がなされた位置で固定（仮止め）される。
【００３９】
この際に、本実施形態では、前筒３３にネジ穴４２（ボス４１）を略Ｕ字状に囲むスリット５１を形成するとともに、固定筒３５の筒部３５ａにも、同様にネジ穴４７（ボス４６）を略Ｕ字状に囲むスリット５２を形成する。これにより、ロックネジ３６，３７の先端が後筒３４の外周を押圧したときに、スリット５１，５２により囲まれた舌片部５４，５５が後筒３４から遠ざかる方向に湾曲状に弾性変形するので、後筒３４の変形を防止することができる。その結果、後筒３４に内蔵された第２及び第３レンズ群３１，３２の位置がずれて、プロジェクションレンズ鏡筒１８の光学性能が劣化するのが防止される。また、同タイプのリアプロジェクション装置１０に搭載されるプロジェクションレンズ鏡筒１８間での光学性能のばらつきを抑えることができる。
【００４０】
また、プロジェクションレンズ鏡筒１８を設計する際に、その後筒３４が変形しても光学性能が劣化しないような光学設計にする必要がなくなるので、設計の自由度を高めることができる。また、スリット５１，５２及び舌片部５４，５５は、前筒３３や固定筒３５と一体に形成できるので、従来とほぼ同じ製造コストでプロジェクションレンズ鏡筒１８を製造することができる。
【００４１】
第１〜第３レンズ群３０〜３１を適切な位置調整がなされた位置で固定（仮止め）したら、作業者は、接着剤等で後筒３４に対して前筒３３を完全に固定するとともに、固定筒３４に対して後筒３４を完全に固定する。これらの作業が終了したら、作業者はプロジェクションレンズ鏡筒１８をユニット本体１７に固定して、プロジェクションレンズ鏡筒１８の組み付けを完了させる。
【００４２】
なお、上記実施形態では、プロジェクションレンズ鏡筒１８を前筒３３、後筒３４、固定筒３５からなる３段式のものを例に説明を行ったが、本発明はこれに限定されるものではなく、２段式または４段式以上のものであってもよい。
【００４３】
また、上記実施形態では、前筒３３及び固定筒３５の内側に後筒３４がヘリコイド結合されているが、本発明はこれに限定されるものではない。例えば、前筒３３が後筒３４の内側にヘリコイド結合されていてもよい。また、固定筒３５の内側に、前筒３３及び後筒３４がそれぞれヘリコイド結合されていてもよい。いずれの場合も上記実施形態で説明したように、ロックネジが螺合されるネジ穴を囲むように略Ｕ字状のスリットを形成すればよい。
【００４４】
また、上記実施形態では、後筒３４に第２及び第３レンズ群３１，３２が内蔵されているが、本発明はこれに限定されるものではなく、例えば第３レンズ群３２が固定筒３５に内蔵されていてもよい。
【００４５】
また、上記実施形態では、スリット５１，５２は略Ｕ字状に形成されているが、本発明はこれに限定されるものではなく、ネジ穴４２，４７を囲みつつその囲みの一部が開口しているような形状であれば、略コ字状、略Ｖ字状、略Ｃ状に形成されていてもよい。
【００４６】
なお、本実施形態では、ロックネジ３６，３７をネジ穴４２，４７に螺合して締め付けた後で、接着剤等で完全に固定するようにしているが、本発明はこれに限定されるものではなく、ロックネジ３６，３７のみで固定するようにしてもよい。
【００４７】
なお、上記実施形態では、ユニット本体１７に三枚の透過型の液晶パネル２３Ｒ，２３Ｇ，２３Ｂが設けられた三板式プロジェクタについてのみ述べているが、反射型の液晶パネルやデジタルマイクロミラーデバイス等の他の画像表示素子が設けられているものについても本発明を同様に適用できる。また、画像光をスクリーンに向けて反射する反射部材として、一枚の平面鏡だけを使用した構成としているが、これに限らず、長大な投映距離を確保するために複数枚の平面鏡を用いた構成にしてもよい。
【００４８】
また、本発明はリアプロジェクション装置１０に用いられるプロジェクションレンズ鏡筒１８を例に説明を行ったが、本発明はこれに限定されるものではなく、フロントプロジェクション装置、カメラ等の撮像装置、プリンタプロセサ等の画像記録装置に用いられる
単焦点のレンズ鏡筒にも本発明を適用することができる。
【図面の簡単な説明】
【００４９】
【図１】リアプロジェクション装置の断面図である。
【図２】プロジェクタユニットのユニット本体の説明図である。
【図３】本発明を実施したプロジェクションレンズ鏡筒の側面図である。
【図４】図３のＩＶ−ＩＶ線に沿う断面図である。
【図５】図３のＶ−Ｖ線に沿う断面図である。
【符号の説明】
【００５０】
１０  リアプロジェクション装置
１４  プロジェクションユニット
１８  プロジェクションレンズ鏡筒
３０  第１レンズ群
３１  第２レンズ群
３２  第３レンズ群
３３  前筒
３４  後筒
３５  固定筒
３６，３７  ロックネジ
４２，４７  ネジ穴
５１，５２  スリット
５４，５５  舌片部
【図１】
2007025154.tif 000003
【図２】
2007025154.tif 000004
【図３】
2007025154.tif 000005
【図４】
2007025154.tif 000006
【図５】
2007025154.tif 000007